(57)【要約】【課題】本発明は、貯水槽を容易に移動させることの出来る雨水貯留装置を提供する。【解決手段】雨水を集水する集水口６と、雨水を取り出す取水口１３とを有する貯水槽２を備えた雨水貯留装置１において、貯水槽２は、該貯水槽２を移動可能とする車輪１４を備えて、かつ、該貯水槽２を自立させる支持部材３を備えていることを特徴とする。【選択図】図１
2011140850.tif 000002
【特許請求の範囲】
【請求項１】
雨水を集水する集水口と、雨水を取り出す取水口とを有する貯水槽を備えた雨水貯留装置において、
前記貯水槽は、該貯水槽を移動可能とする車輪を備え、かつ、
該貯水槽を自立させる支持部材を備えていることを特徴とする雨水貯留装置。
【発明の詳細な説明】
【技術分野】
【０００１】
本発明は、雨水を貯留する雨水貯留装置に関する。
【背景技術】
【０００２】
一般に、園芸用、水撒き、火災時の消火活動、災害時の非常用生活用水等の様々な場面で活用するために、雨水を建物の雨樋から集水して使用する雨水貯留装置が用いられている。通常、雨水貯留装置は、建物に取り付けられた竪樋の傍に固定状態で設置されており、雨水を竪樋から集水し、溜められた雨水を設置された場所にてバケツや如雨露等の他の容器に移して利用するようになっている。従来のこの種の雨水貯留装置としては、例えば下記特許文献１に示すものが提案されている。
【０００３】
図７は、特許文献１に示す雨水貯留装置１００を示すものである。図において、雨水を貯留する貯水槽１０１は、下方に配置された脚台１０２、１０２上に設置されており、上部に形成された集水口１０３が集水継手１０４を介して竪樋１０５に連結されている。
【０００４】
貯水槽１０１には、その側面に雨水を取り出すための取水口１０６が設けられており、背面側に満水時の余剰水を排水するための排水管１０７が設けられている。
【０００５】
このように、雨水貯留装置１００は、竪樋１０５に連結され、定位置に固定して用いられる構成とされている。
【先行技術文献】
【特許文献】
【０００６】
【特許文献１】特開２００６−２８８７６号公報
【発明の概要】
【発明が解決しようとする課題】
【０００７】
ところで、この雨水貯留装置１００によると、貯水槽１０１に溜められた雨水の使用時には、取水口１０６から雨水をバケツ等の他の容器に移し、容器を雨水の利用場所まで持ち運ばなければならず、したがって雨水が入った重い容器を運ぶ作業が重労働となるという問題があった。
また、容器内の雨水を使い果たした場合には、いちいち雨水貯留装置１００の設置場所まで雨水を汲みに行かなければならず、雨水使用の作業効率が悪いという問題があった。また、同様の理由から、災害時の使用に不向きであるという問題があった。
【課題を解決するための手段】
【０００８】
そこで、この発明は、上記課題を解決するために以下の手段を提供している。
請求項１に記載の発明は、雨水を集水する集水口と、雨水を取り出す取水口とを有する貯水槽を備えた雨水貯留装置において、前記貯水槽は、該貯水槽を移動可能とする車輪を備え、かつ、該貯水槽を自立させる支持部材を備えていることを特徴とする。
【発明の効果】
【０００９】
請求項１に記載の雨水貯留装置によれば、貯水槽に車輪が設けられているため、貯水槽そのものを使用する場所へ容易に移動させて用いることができ、雨水を運ぶ労力を軽減することができるという効果を奏する。
【００１０】
また、貯水槽を移動することが出来るため、容器への雨水の移し替えを雨水の使用場所で行うことができ、雨水使用の作業効率を上げることができるという効果を奏する。また、災害時等においても雨水の使用場所に貯水槽を移動させ、雨水の迅速な使用が可能となるという効果を奏する。
【図面の簡単な説明】
【００１１】
【図１】は、本発明の一実施形態として示した雨水貯留装置を示す図であって、貯水槽を雨水貯水位置に設置した状態を示した側面図である。
【図２】は、本発明の実施形態として示した雨水貯留装置と竪樋の連結状態を示した拡大一部断面図である。
【図３】は、図１に示す雨水貯留装置の貯水槽を背面側から見た斜視図である。
【図４】は、図１に示す雨水貯留装置の台座を示す図である。
【図５】は、図１に示す雨水貯留装置の一部を断面視した側面図である。
【図６】は、本発明の一実施形態として示した雨水貯留装置の貯水槽を倒伏姿勢で停止させた状態を示す側面図である。
【図７】は、従来の雨水貯留装置を示した図である。
【発明を実施するための形態】
【００１２】
以下、図を参照して本発明の雨水貯留装置の実施形態について説明する。
図１に示すように、本発明の実施形態として示した雨水貯留装置１は、雨水を貯水する貯水槽２と、この貯水槽２を支持する支持部材３とを備えてなるものであり、建物に付設された竪樋４から集水管５を経て導入する雨水を貯水槽２内に貯水するようにしたものである。
【００１３】
竪樋４は、図２に示すように、貯水槽２の集水口６が位置する高さ付近で切断され、切断された一部が除去されると共に、当該除去された部分に集水継手７が装着された構成とされている。
【００１４】
集水継手７は、竪樋４の断面径よりやや大径に形成された筒状の上壁部７Ａと、この上壁部７Ａから内方に張り出す底壁部８と、この底壁部８の内端から上方へ立ち上がる筒状の内壁部９と、底壁部８の下面から竪樋４の断面径よりやや小径に形成された筒状の下壁部７Ｂと、上壁部７Ａの外方に突出するように形成された筒状の雨水導出壁部１０とからなっている。
【００１５】
上壁部７Ａ、底壁部８及び内壁部９間には、溝部Ｐが形成されており、この溝部Ｐは雨水導出壁部１０内に連通している。雨水導出壁部１０の外周面は、雄螺子部１０ａとされている。
この集水継手７は、上壁部７Ａ内に上方に位置する竪樋４の下端部を密に嵌着させ、下壁部７Ｂを下方に位置する竪樋４の上端部内に密に嵌着して該竪樋４に固定されている。
【００１６】
集水管５は、内面が雌螺子部１２ａとされた連結体１２を両端部に有するジャバラ管により構成されており、一端部の連結体１２が雨水導出壁部１０に螺合されて接続されている。
【００１７】
貯水槽２は、図１、図３に示すように、外観が略直方体形状に形成された雨水を貯水する槽であって、雨水を導入する集水口６と、雨水を取り出す取水口１３と、車輪１４、１４と、取っ手１５を有しており、支持部材３により姿勢保持されるものである。
【００１８】
集水口６は、図２に示すように、貯水槽２の背面２ａ上端部に形成された開口部であり、貯水槽２の背面２ａから外方へ突出する筒状の壁部である。この集水口６の外周面は雄螺子部６ａとされており、内周面が雌螺子部１２ａとされた前記集水管５の連結体１２が該集水口６に螺合して接続されている。
【００１９】
取水口１３は、図１に示すように貯水槽２の正面２ｂ下端部に形成され、コック等により開閉自在に形成された雨水取り出し口となるものである。
【００２０】
車輪１４は、貯水槽２の両側面２ｃ下部に、それぞれ正面２ｂ寄りに取り付けられたものである。
この車輪１４の半径は、所望する貯水槽２の地面からの高さに応じて適宜選択される。
【００２１】
支持部材３は、雨水を貯水する際、又は貯水槽２を移動させ、該貯水槽２を停止させた際に自立させる部材である。雨水貯水時には台座３Ａが、貯水槽２を移動させた場所で貯水槽２を佇立させるときにはスタンド部材３Ｂ、３Ｃが支持部材３として用いられる。
【００２２】
台座３Ａは、図１、図４に示すように、貯水槽２を上部に載置して保持する部材であり、貯水槽２の槽底面２ｄ全体に当接して該貯水槽２全体を支持する槽載置部２０と、貯水槽２の車輪１４、１４を乗り上げさせかつ嵌合保持する車輪台部２１、２１と、前記取水口１３から注水して雨水を利用する際にこぼれた雨水を受け、排水口２２に流す水受け皿部２３と、排水口２２と連通させた孔部を有する排水皿部２４とを有する。
【００２３】
槽載置部２０は、略直方体形状に形成された台であり、台座３Ａの中央やや後方寄りに位置している。槽載置部２０の幅寸法は、貯水槽２の正面視幅寸法よりもわずかに小寸法とされ、長さ寸法は、貯水槽２の奥行き寸法よりも大きめになるよう形成されている。また、槽載置部２０の上面までの高さＬ１は、雨水を汲む場合に、貯水槽２における取水口１３の下方の水受け皿部２３上に如雨露等の容器を置くことができる程度となるよう設定されている。
【００２４】
車輪台部２１は、槽載置部２０の両側方に前後方向に向かって形成されており、貯水槽２の両側部２ｃに設けられた車輪１４を乗り上げさせて定位置に保持するためのものである。
車輪台部２１は、槽載置部２０よりも前方側に形成された傾斜部２５と、槽載置部２０の側部に形成された車輪嵌合部２６とを備えている。
【００２５】
車輪台部２１の傾斜部２５は、前方に向かって漸次下るように形成されており、車輪嵌合部２６は、貯水槽２を台座３上に位置させる場合に、貯水槽２の底面２ｄが槽載置部２０の上方に位置したところで下方に向かって凹んだ形状とされている。
【００２６】
この車輪嵌合部２６は、傾斜部２５の頂部２７から下方に向かって平坦に傾斜した後、車輪の形状に略沿った湾曲した形状に形成されている。車輪嵌合部２６の底部の高さ寸法Ｌ２は、車輪１４が該車輪嵌合部２６に位置しても車輪嵌合部２６の上面に車輪が当接しないか、当接しても貯水槽２の荷重を当該車輪嵌合部２６にて支持することのない程度の寸法となるように形成されている。
【００２７】
水受け皿部２３は、外枠２８を有した雨水を受ける皿部であり、前記車輪台部２１の傾斜部２５、２５間において槽載置部２０下部から前方に突出するように連設されている。
水受け皿部２３の底壁部２９は、その中心部に向かって下る傾斜面に形成されており、その中心部には流水孔３０が形成されている。
【００２８】
図５に示すように、流水孔３０には、導出管３５が取り付けられており、該導出管３５は排水皿部２４に向かって延出している。
【００２９】
排水皿部２４は、槽載置部２０と同一の幅寸法をもって該槽載置部２０の下部から後方に向かって突出するように連設されたものである。
排水皿部２４には、排水管３６につながる排水口３７が形成されており、排水皿部２４の底壁面３８は、該排水口３７に向かって漸次下る傾斜面となるよう形成されている。
【００３０】
排水皿部２４の底壁面３８には、前記水受け皿部２３から延出した導出管３５を連通させる連通孔３９が形成されている。
【００３１】
図３に示すようにスタンド部材３Ｂ、３Ｃは、貯水槽２を台座３から移動させた先で貯水槽２を佇立させるときに使用されるものである。
【００３２】
スタンド部材３Ｂは、背面２ａの下部に設けられ、台座３Ａを用いることなく、貯水槽２を台座３Ａに設置した場合と同じ向きに佇立させる部材であり、スチール棒等をＵ字形状を成すように形成したものである。
【００３３】
このスタンド部材３Ｂの両端部４５、４６は、互いに接近する方向に弾性変形可能であり、貯水槽２の背面２ａ下部に水平に位置して固定された２つの留め具４７、４８に支持されている。
【００３４】
留め具４７、４８は、略矩形の板状体の中央部に隆起した隆起部４９が形成されたものであり、隆起部４９には、前記スタンド部材３Ｂを係止可能な切欠５０が形成されている。
【００３５】
この構成において、スタンド部材３Ｂは、留め具４７、４８の各隆起部４９を中心に矢印Ｓ方向に回動可能であり、図３に示すように貯水槽２を佇立姿勢に支持するには、このスタンド部材３Ｂを図に実線で示すように貯水槽２の下方へ到らせ、その端部４５、４６周辺を留め具４７、４８の切欠部５０、５０に係止させる。この状態でスタンド部材３６の先端を地面等に接地させれば、貯水槽２が佇立姿勢に支持される。
【００３６】
スタンド部材３Ｃは、貯水槽２の上面部２ｅに設けられて、図６に示すように貯水槽２の正面２ｂが下方を向くように倒伏させた状態で貯水槽２を支持する部材であり、貯水槽２の上端から引き出して用いられる部材である。このスタンド部材３Ｃは、図３に示すように断面が正方形の棒材をコ字状に折曲して形成されたものであって、その両端部５５、５５が貯水槽２に固定された角筒５６、５６内に収納及び引き出し自在に配置されており、図６に示すように角筒５６から引き出した状態において、貯水槽２にブロック５７を介して支持されたピン５８を両端部５５、５５に形成された穴（図示しない）に挿入することによりその位置に止まるようになっている。
【００３７】
取っ手１５は、スタンド部材３Ｃと同様に断面が正方形の棒材をコ字状に折曲して形成されたものであって、その両端部６０、６０が貯水槽２に固定された角筒６１、６１内に収納及び引き出し自在に配置されている。この取っ手１５は、角筒６１から一定寸法引き出しされたときに図示しない係止機構によってその位置に止まり、強い力で押し返したときに両端部６０、６０が角筒６１、６１内に収納されるようになっている。
【００３８】
上記の雨水貯留装置１の設置に際しては、予め、貯水を行う竪樋４に、図２に示すように集水継手７を固定する。そして、図１に示すように竪樋４の近傍に支持部材３の１つである台座３Ａを設置し、この台座３Ａに貯水槽２を載置する。そして更に、図２に示すように集水継手７の雨水導出壁部１０に集水管５の一端部を接続し、集水管５の他端部を貯水槽２の集水口６内に挿入すると共に連結体１２を集水口６に螺着する。
【００３９】
次に、上記の雨水貯留装置１の作用について説明する。
雨天時において、雨水は、図２に示す竪樋４の上方から溝部Ｐを経て集水管５に供給され、この集水管５から集水口６を通って貯水槽２内に流水し貯水される。
【００４０】
貯水槽２を台座３Ａ上に載置したまま雨水を使用するには、図１に示す取水口１３の下方に容器を配置し、取水口１３の蛇口をひねって雨水を容器に注水する。
この際、雨水が他の容器からこぼれたり溢れたりした場合には、雨水が水受け皿部２３で受け止められ、この雨水が流水孔３０から導出管３５を介して台座３Ａの後方に設けられた排水皿部２４に流れ出し、最終的に排水口３７にから排水されることになる。
【００４１】
貯水槽２を庭先等の使用場所に移動させて用いる場合には、図１に示す集水口６に螺合された集水管５を取り外して集水口６に不図示の蓋を被冠し、貯水槽２を移動可能な状態にする。
次に、取っ手１５を把持して貯水槽２の背面２ａ上端縁から上方に引き出し、貯水槽２を正面２ｂ側に傾けて前方へ引き、車輪１４を車輪嵌合部２６から傾斜部２５側へ移動させ、傾斜部２５上面を下降させて、貯水槽２を台座３Ａから離脱させる。
【００４２】
そして、取っ手１５を引いて貯水槽２を所望の場所に到らせた際には、図３に示す貯水槽２の背面２ａ側に設けられたスタンド部材３Ｂを図２に２点鎖線で示す収納位置から引き出して下方に位置させ、貯水槽２を自立させて、取水口１３から適宜雨水を汲み出して使用する。
【００４３】
また、貯水槽２は、これを倒伏させた姿勢においても雨水の使用が可能である。この場合は、図６に示すように貯水槽２を倒伏させ、スタンド部材３Ｃを引き出して下方に位置させると共にピン５８でその位置に係止し、この姿勢において取水口１３から雨水を取り出して使用する。
この貯水槽２の使用形態においては、貯水槽２の背面２ａを荷台として各種用途に使用することが出来る。
【００４４】
貯水槽２の使用が終了した場合には、貯水槽２の取っ手１５を引いて再び台座３Ａ上に載置させ、貯水槽２に被冠しておいた蓋体（不図示）を取り外して集水管５を接続し、雨天時に雨水を貯水できるように設置する。
【００４５】
このように、雨水貯留装置１によれば、貯水槽２に車輪１４が設けられ、かつ、集水口６から集水管５が着脱容易に形成されているため、貯水槽２そのものを使用する場所へ容易に移動させて用いることができ、雨水が入った重い容器を運ぶ労力を軽減することができるという効果が得られる。
【００４６】
また、雨水の汲み出しに便利な位置に貯水槽２を移動することが出来るため、雨水の使用における作業効率が上がり、また、災害時等においても安全な場所に貯水槽２を移動させて雨水を迅速に使用することが可能となるという効果が得られる。
【００４７】
また、貯水槽２の台座３Ａへの載置時には、貯水槽２の底面２ｄ全体を台座３Ａの槽載置部２０上面で安定的に支持すると共に、貯水槽２の移動時は、車輪１４を転動させることで容易に移動可能であり、台座３Ａへの載置及び移動を容易に行うことが出来るという効果が得られる。
【００４８】
また、台座３Ａが水受け皿部２３を有しているため、貯水槽２から雨水を注水した際に雨水が雨水貯留装置１の周辺を不用意に濡らしてしまうことがなく、周辺を常に清潔に保つことができるという効果が得られる。
【００４９】
また更に、貯水槽２の上端部にスタンド部材３Ｃが設けられているため、貯水槽２を移動させた場所において、該貯水槽２を荷台として設置することができるという効果が得られる。
【００５０】
また、スタンド３Ｃ又は取っ手１５が、貯水槽２側へ収納可能に設けられているため、貯水槽２の佇立又は移動に便利であると共に、台座３Ａへの載置時には、該スタンド３Ｃ又は取っ手１５が、邪魔にならないようにすることができるという効果が得られる。
【００５１】
また、集水継手７が溝Ｐにより集水する構成とされているため、竪樋４を伝って流れ落ちる雨水を効率よく集水することが可能となり、また、貯水槽２が満水となった場合にも余剰水を集水管５、溝Ｐから竪樋４の下方に流すことができるという効果が得られる。
【符号の説明】
【００５２】
１    雨水貯留装置
２    貯水槽
３    支持部材
６    集水口
１３  取水口
１４  車輪
【図１】
2011140850.tif 000003
【図２】
2011140850.tif 000004
【図３】
2011140850.tif 000005
【図４】
2011140850.tif 000006
【図５】
2011140850.tif 000007
【図６】
2011140850.tif 000008
【図７】
2011140850.tif 000009